(57)【特許請求の範囲】
【請求項１】
雌ネジ部を形成して貫通する開口を底面に有する脚部を下部に設けた機器と、
前記脚部の下に配置され運搬時に前記機器を支持し、前記開口と連通する貫通穴を有する
梱包底板と、
回動する工具と嵌合して該工具のトルクを伝える工具用溝を一端面に有するボルト先端部と、側面に雄ネジ部を有するボルト軸部と、該ボルト軸部の他端面に前記ボルト軸部の軸径よりも大きいボルト後端部とを設け、前記ボルト軸部よりもボルト先端部の軸径を小さく構成したボルトとを備え、
前記工具用溝を上側にして前記ボルト軸部は前記貫通穴と前記開口に挿入されて前記雄ネ
ジ部と前記雌ネジ部が螺合し、前記梱包底板を前記脚部の底面と前記ボルト後端部とで挟
んで前記機器と前記梱包底板を固定することを特徴とする機器梱包装置。
【請求項２】
前記ボルト後端部が設けられた前記ボルト軸部の反対の端面に前記ボルト軸部の軸径より
も小さい多角形状のボルト先端部を設け、該ボルト先端部の端面に前記工具用溝を有する
ことを特徴とする請求項１に記載の機器梱包装置。
【請求項３】
前記ボルト先端部及び前記ボルト後端部は六角形であり、前記工具用溝は六角形、プラス
又はマイナス形状であることを特徴とする請求項２に記載の機器梱包装置。
【請求項４】
螺合する前記雄ネジ部と前記雌ネジ部の間に緩み止め部材を設けたことを特徴と請求項１
乃至３のいずれか１つに記載の機器梱包装置。
【請求項５】
磁性体から構成された前記工具及び前記ボルトのいずれか一方は磁力を有し、
上から前記工具用溝に嵌合する前記工具と前記ボルトが磁力で引き合うことを特徴とする
請求項１乃至４のいずれか１つに記載の機器梱包装置。
【請求項６】
前記機器は沸き上げた湯を貯めるタンクを有する貯湯式給湯機であって、
前記貯湯式給湯機は下部に給水又は排水する配管を接続するための配管接続口を有し、
前期脚部の高さ分、前記下部と前記梱包底板の間に前記配管を配置するための空間を設け
、前記工具は前記空間から前記工具用溝に嵌合され、
前記開口に前記貯湯式給湯機の設置場所で使用されるアンカーボルトを挿入可能にしたこ
とを特徴とする請求項１乃至５のいずれか１つに記載の機器梱包装置。
【発明の詳細な説明】
【技術分野】
【０００１】
本発明は運搬時における機器の機器梱包装置に関するものである。
【背景技術】
【０００２】
従来の機器梱包装置、例えば給湯タンク、大型の加工装置のような重量物などは運搬時に機器の下部に設けられた脚部と梱包底板を固定する為に、ボルトとナット若しくはワッシャにより、給湯機本体脚と梱包底板を挟み込んで固定している。その際、ボルトを梱包底側から差込み、ナットを機器の脚部側から装着していた。尚、ボルトとナットの位置は逆もあり得る。（例えば、特許文献１及び特許文献２参照）
【０００３】
【特許文献１】特開２００４−１４４４４７（００２４欄）
【特許文献２】特開２００６−３２２６５２（００２９、００３１欄）
【発明の概要】
【発明が解決しようとする課題】
【０００４】
しかしながら、上述した給湯タンクでは、梱包底板表面のナットを工具で保持し、梱包底板裏面から、工具を使用してボルトをまわし、梱包底板を外す必要があり、作業が困難であるという問題があった。また、取付ける際も同様にボルトを回す間はナットを工具で固定しなければならないという問題があった。
【０００５】
また、緩み止めとしてボルトとナットに接着剤を塗布する必要があり、接着剤が塗布されているとネジ又はナットのほぼすべての接触箇所で梱包底板と接着されているので、梱包底板からネジ又はナットを取外す作業が困難になるという問題があった。
【０００６】
また、梱包底板を機器の脚部に取付け、取外しの際に機器を横にするとそのときの振動、衝撃又は機器の自重で内部の装置が変形したり、亀裂が入ったりして故障してしまうという問題があり、機器を立てた状態で梱包底体の中空部分に工具を挿入してボルトの取付け、取外し作業を行うのは作業性が悪いという問題もあった。
【０００７】
本発明は、上記のような課題を解決するためになされたもので、部品点数が少なく機器と梱包底板の固定及び取外し作業を容易に行うことができる経済的で作業性が良い機器梱包装置を提供することを目的とする。
【課題を解決するための手段】
【０００８】
本発明による機器梱包装置は、雌ネジ部を形成して貫通する開口を底面に有する脚部を下部に設けた機器と、前記脚部の下に配置され運搬時に前記機器を支持し、前記開口と連通する貫通穴を有する梱包底板と、回動する工具と嵌合して該工具のトルクを伝える工具用溝を一端面に有し、側面に雄ネジ部を有するボルト軸部と該ボルト軸部の他端面に前記ボルト軸部の軸径よりも大きいボルト後端部を設けたボルトとを備え、前記工具用溝を上側にして前記ボルト軸部は前記貫通穴と前記開口に挿入されて前記雄ネジ部と前記雌ネジ部が螺合し、前記梱包底板を前記脚部の底面と前記ボルト後端部とで挟んで前記機器と前記梱包底板を固定することを特徴とするものである。
【発明の効果】
【０００９】
本発明は、簡単な構成で、機器と梱包底板の固定、または、取外し作業性を容易にし、施工性がよく、また固定部品の削減により経済的な機器梱包装置を提供することが可能となる。
【図面の簡単な説明】
【００１０】
【図１】本発明の実施の形態における機器梱包装置の正面図である。
【図２】本発明の実施の形態における機器梱包装置の側面図である。
【図３】本発明の実施の形態における機器と梱包底板を固定した状態の斜視図である。
【図４】本発明の実施の形態における機器の脚部の斜視図である。
【図５】本発明の実施の形態における機器の脚部と梱包底板を固定するボルトの断面図である。
【図６】本発明の実施の形態を示す機器梱包装置の固定用ボルトの斜視図である。
【図７】本発明の実施の形態を示す機器梱包装置の梱包底板固定過程を説明する斜視図である。
【発明を実施するための形態】
【００１１】
実施の形態１．
以下、図１乃至図７に基づいて本実施の形態を詳細に説明する。
【００１２】
図１は本発明の実施の形態に係る機器梱包装置の正面図であり、図２はその側面図である。図１及び図２は運搬時の貯湯式給湯機を示しており、貯湯式給湯機は本体１０の下部に設けられた鋼板又はその他金属製の本体脚３が梱包底板４と固定用ボルト５で固定されて構成されている。本体１０は図示するように、外部の燃焼装置若しくはヒートポンプ式熱交換機又は内部の電熱線で沸き上げられた水を蓄える貯湯タンク２を内部に有し、この貯湯タンク２の外周は断熱材や保温材を介して外装を前面ケース１ａ、右側面ケース１ｂ、左側面ケース１ｃ、背面ケース１ｄ、上面ケース１ｅ、底面ケース１ｆで被覆している。前面ケース１ａの下には貯湯タンク２にお湯が流入又は流出するための配管を接続するための複数の配管接続口１１が設けられている。
【００１３】
複数の配管接続口１１には貯湯タンク２から排水するための配管や、外部に設置された水をお湯にする給湯ユニットと水を循環するための配管や、室内の浴槽にお湯を供給又は追い炊きするための配管等が接続される。そして、配管接続口１１の下にはこれら配管を設置するための空間がある。
【００１４】
本体１０の底面である底面ケース１ｆには本体１０を使用場所に据付けるための本体脚３が備え付けられている。この本体脚３を本体１０の底面に取付けることによりの高さ分だけ配管接続口１１の下に配管を取付けるための空間が広くなり、また本体１０の底面ケース１ｆの下にも本体脚３の高さ分だけ空間ができる。
【００１５】
尚、図１及び図２では本体脚３を底面ケース１ｆと固定しているが、本体脚３から垂直方向に突出部を設けてこの突出部と右側面ケース１ｂ又は左側面ケース１ｃとを固定しても良い。
【００１６】
図３は機器と梱包底板を固定した状態を示す斜視図である。木材やプラスチック成型品又は板金からなる梱包底板４の上に本体１０を支える本体脚３が載っており、梱包底板４の上部を構成する上板４ａは本体脚３と固定用ボルト５で固定されている。本体１０の底部には３つの本体脚３が設けられており、本体脚３の上面と本体１０の底面である底面ケース１ｆがボルト又は溶接で固定されている。
【００１７】
梱包底板４は本体脚３の下になるように間隔をあけて設けられた複数の上板４ａと、上板４ａと直交するように上板４ａの下に設けられ、釘で上板４ａと固定され、本体脚３の真下からズレた位置であって間隔をあけて設けられた複数の中空板４ｂと、上板４ａと同様に中空板４ｂの下に配置され釘で固定された下板４ｃとから構成されている。このように梱包底板４は本体脚３の真下に空間がある中空構造となっている。
【００１８】
梱包底板４と本体脚３を固定する際、固定用ボルト５は梱包底板４の下から上に向けて回転しながら挿入されるので、中空板４ｂは固定用ボルト５の長さよりも厚みがあると、固定用ボルト５を取付ける際に貫通穴４ｄの真下で一旦垂直方向に配置することができるので、作業性が向上する。
【００１９】
図４は本体脚３の斜視図である。本体脚３の底面を形成する本体脚底部３ｂには周囲の側壁に雌ネジが形成された係止用穴３ａが開いている。尚、係止用穴３ａの周囲からバーリング加工等により上向きにフランジを形成し、そのフランジの内側に雌ネジを形成しても良い。係止用穴３ａと固定用ボルト５の雄ネジ部分が螺合する。
【００２０】
図５は機器と梱包底板を固定した状態を示す断面図であり、図３の点線ＡＡ’を上下方向に切断した断面図である。梱包底板４に設けられた貫通穴４ｄを固定用ボルト５のボルト軸部５ｃが貫通している。ボルト軸部５ｃは係止用穴３ａと接触する箇所が雄ネジ部５ｅとなっており、本体脚３の雌ネジが形成された係止用穴３ａとボルト軸部５ｃの雄ネジ部５ｅが螺合している。また、係止用穴３ａと螺合する雄ネジ部５ｅの表面には緩みを防止するためのナイロン系樹脂のネジロック材５ｂが設けられている。
【００２１】
固定用ボルト５にはボルト軸部５ｃよりも軸径の大きいボルト後端部５ｄがあり、ボルト軸部５ｃの雄ネジ部５ｅで固定される本体脚底部３ｂとボルト後端部５ｄで梱包底板４を挟んで固定している。ボルト後端部５ｄと反対側のボルト軸部５ｃの端にはボルト軸部５ｃの軸径よりも小さいボルト先端部５ａがある。ボルト先端部５ａ及びボルト後端部５ｄの端面にはプラス又はマイナスドライバーや六角レンチ等の工具が嵌合して工具のトルクを固定用ボルト５に伝え、固定用ボルト５の回動を可能にする工具用溝５ｆが設けられている。尚、プラス又はマイナス、六角レンチ等の工具は汎用性が高いので作業性が向上する。
【００２２】
固定用ボルト５にはボルト先端部５ａを設けずに、ボルト軸部５ｃの先端面に工具用溝５ｆを設けても良い。尚、ボルト先端部５ａを設けると、貫通穴４ｄ又は係止用穴３ａへの案内軸となり取付けが容易になる。ボルト先端部５ａは先細りのテーパ形状であることが望ましい。
【００２３】
図６は機器梱包装置の固定用ボルトの斜視図である。ボルト軸部５ｃの両端にはボルト軸部５ｃよりも軸径の小さいボルト先端部５ａ、ボルト軸部５ｃよりも軸径の大きいボルト後端部５ｄが設けられている。また、ボルト先端部５ａとボルト後端部５ｄは回転時に把持可能な六角形状をしている。ボルト軸部５ｃには雄ネジ部５ｅが設けられており、その雄ネジ部５ｅにはネジロック材５ｂが塗布されている。尚、ボルト先端部５ａとボルト後端部５ｄの形状は六角形に限定するものではなく多角形であれば良く、その多角形に一致して嵌合するソケットレンチで固定用ボルト５を取付け取外しを行うことができる。
【００２４】
ボルト軸部５ｃ全体を雄ネジ部５ｅとして良く、梱包底板４の貫通穴４ｄに雌ネジを形成するとボルト軸部５ｃ全体で本体脚底部３ｂと梱包底板４を固定することができる。
【００２５】
また、貫通穴４ｄには雌ネジを形成せずにボルト軸部５ｃの直径よりも大きな穴又は長穴とし、ボルト軸部５ｃは係止用穴３ａと接触する箇所のみを雄ネジ部５ｅとしてその雄ネジ部５ｅにのみネジロック材５ｂを塗布してから固定用ボルト５を固定すると、取外す際、ネジロック材５ｂが塗布されたボルト軸部５ｃの雄ネジ部５ｅが係止用穴３ａから外れた後は手だけでも取外すことができるので、作業性が向上する。
【００２６】
尚、固定用ボルト５のボルト軸部５ｃの先端と根元を除いた一定の範囲に、円周方向全周又は部分的にネジロック材５ｂが塗布されている。
【００２７】
尚、梱包底板４の貫通穴４ｄは固定用ボルト５のボルト軸部５ｃの直径よりも大きな穴又は長穴とすると、本体脚３の雌ネジを形成した係止用穴３ａの位置ずれを吸収できる。
【００２８】
図７は機器梱包装置の梱包底板固定過程を説明する斜視図であり、固定用ボルト５を取付ける工程について説明する。図示するように固定用ボルト５が回転しながら梱包底板４の下側から挿入される。その際、下側から固定用ボルト５を上向きに押さえながら係止用穴３ａと貫通穴４ｄを通って上側からドライバーをボルト先端部５ａの工具用溝５ｆに差し込む、又は下側からドライバーをボルト後端部５ｄの工具用溝５ｆに差し込んで、係止用穴３ａの雌ネジ部と雄ネジ部５ｅが螺合するまで固定用ボルト５を回転させながら上向きに移動させ、螺合箇所とボルト後端部５ｄとで上板４ａを挟んで固定する。
【００２９】
尚、ドライバーが金属又は磁石からなり、固定用ボルト５も磁石、金属又はその他磁性体とから構成されているとドライバーと固定用ボルト５が磁力で引き合うので、ドライバーを梱包底板４の上から差し込んだときに、下側から固定用ボルト５を上向きに押さえる必要がなくなり、作業性が向上する。
【００３０】
次に固定用ボルト５を取外す工程について説明する。係止用穴３ａの雌ネジ部と雄ネジ部５ｅとで螺合して固定されている固定用ボルト５対して上側からドライバーを工具用溝５ｆに差し込む、又はソケットレンチをボルト先端部５ａに嵌合して取付ける際とは逆回転で固定用ボルト５を回転させながら、螺合している係止用穴３ａの雌ネジ部と雄ネジ部５ｅが外れるまで下向きに移動させて取外す。尚、ドライバーを下側からボルト後端部の端面に設けられた工具用溝に嵌合させて固定用ボルト５を回転させて取外すこともできる。
【００３１】
尚、ドライバーや固定用ボルト５の全体に磁力があると、ドライバーの側面とボルト軸部５ｃの側面が接着する可能性があるので、ドライバーの先端部分と固定用ボルト５の工具用溝５ｆ周辺のみ磁力を持つ材料から構成されることが望ましい。また、本体脚３や梱包底板４が金属製である場合はドライバーの先端部分以外にカバー部材を設けると、ドライバーが本体脚３や梱包底板４の貫通穴４ｄの側壁に磁力で接することによって傷つけることなく固定用ボルト５の取付け取外しを行うことができる。
【００３２】
このように固定用ボルト５を用いると、梱包底板４の上側に突出するボルト先端部５ａの端面に工具用溝５ｆを設けているので、梱包底板４を取付け又は取外しを行う際、固定用ボルト５に備えたボルト先端部５ａを梱包底板４の上側表面より把持し回転させることによって取付け又は取外し作業を行うことができ、さらに梱包底板４と本体１０の間には本体脚３の高さ分だけ空間があるので、この空間に作業者の腕や取付け取外し用の工具を挿入して作業することができるので作業性が向上する。
【００３３】
以上のように、本実施の形態では本体脚３に固定用ボルト５と螺合する係止用穴３ａを設け、ボルト後端部５ｄと本体脚底部３ｂにて梱包底板４の上板４ａをはさみこんで固定する構成としているので、従来のボルトとナット又はワッシャで本体脚３と梱包底板４を挟み込んで固定する構成ではない為、ナットとワッシャを削減することができる。
【００３４】
また、回転時に把持可能な形状又は先端面に工具用溝５ｆを設けた固定用ボルト５により給湯機本体脚３と梱包底板４を固定する給湯機においては、梱包底板４の上板４ａの上側に突出する工具用溝５ｆを設けたボルト先端部５ａにより、梱包底板４の表面より固定用ボルト５を取付け及び取外しが可能となるので、本体１０を横にすることなく容易に本体脚３に梱包底板４を取付け及び取外しを行うことができる。
【００３５】
また、ボルト後端部５ｄと本体脚底部３ｂにて梱包底板４の上板４ａをはさみこんで固定する構成では本体１０の自重分だけ本体脚底部３ｂから上板４ａに圧力が掛かっているので、固定用ボルト５を取付ける際に小さいトルクで取付けることができる。
【００３６】
また、ボルト軸部５ｃの係止用穴３ａと螺合する箇所にネジロック材５ｂを塗布しておき、緩み止め機能を設けることにより、従来緩み止め機能を構成する為にボルト、ナットに塗布していた接着材を削減することが可能となる。
【００３７】
尚、本実施の形態では、係止用穴３ａを専用に、給湯機本体脚３に設けるようにしたが、これを本体１０を使用場所で設置する際に設置面から突き出たアンカーボルトで固定するための穴と共通化するように構成してもよい。
【００３８】
また、本体脚３の係止用穴３ａをネジ形状のなされていない貫通穴とし、固定用ボルト５をナットで固定する構成も可能である。
【００３９】
以上に説明した本発明の本体１０では、先端が根元より小径で回転時に把持可能な形状を備えた固定用ボルト５と雌ネジを形成した係止用穴３ａを備えた本体１０の本体脚３により梱包底板４を固定することにより、梱包底板４取外しの作業を容易にすることができ、従来給湯機本体脚３と梱包底板４をはさみこんで固定する為のナットとワッシャが不要となる。また、ボルト軸部５ｃにナイロン系樹脂であるネジロック材５ｂを塗布しておき、緩み止め機能を設けることにより、従来緩み止め機能を構成していた接着材の塗布削減が可能となる。尚、ネジロック材５ｂは液体のものを使用しても良い。
【００４０】
尚、実施の形態１では機器が貯湯式給湯機の場合について説明したが、底面に雌ネジを形成した開口を有する脚部がある機器、例えば大型の送風装置など空調装置、重量物である油タンク、工作機器等であれば、本発明を適用可能である。
【産業上の利用可能性】
【００４１】
以上のように本発明は運搬時に梱包底板が取付けられる機器に使用することができる。
【符号の説明】
【００４２】
１ａ      前面ケース
１ｂ      右側面ケース
１ｃ      左側面ケース
１ｄ      背面ケース
１ｅ      上面ケース
１ｆ      底面ケース
２        貯湯タンク
３        本体脚
３ａ      係止用穴
３ｂ      本体脚底部
４        梱包底板
４ａ      上板
４ｂ      中空板
４ｃ      下板
４ｄ      貫通穴
５        固定用ボルト
５ａ      ボルト先端部
５ｂ      ネジロック材
５ｃ      ボルト軸部
５ｄ      ボルト後端部
５ｅ      雄ネジ部
５ｆ      工具用溝
１０      本体
１１      配管接続口
【図１】
0005418014.tif 000002
【図２】
0005418014.tif 000003
【図３】
0005418014.tif 000004
【図４】
0005418014.tif 000005
【図５】
0005418014.tif 000006
【図６】
0005418014.tif 000007
【図７】
0005418014.tif 000008